(57)【要約】      （修正有）【課題】水撒きのためのノズル器具を提供する。【解決手段】かかる水撒きのためのノズル器具は、流入路が内部に形成されているグリップ構造１０と、グリップ構造１０の頂部に連設されているバルブ構造と、バルブ構造上に連設されているノズルヘッドとを備えている。ノズルヘッド内に上下に順次に複数本の流出路が形成され、各流出路は、それぞれノズルヘッドの異なる吐水モードに合わせて構成され、バルブ構造は、横方向に延びている弁室２１と、弁室内に回転可能に収容されている弁体と、弁体に連設されている切り換え操作部２３とを有し、弁室２１は、それぞれ流入路と、複数本の流出路とに相互に連通する。弁体が弁室２１の相異なる両端を液密的に閉塞し、切り換え操作部２３により弁体を弁室２１の内壁に相対して回転させるように駆動することで、切り換えにより流入路から送流されたグリップ構造１０内の水をノズルヘッド内の相対応の流出路に導く。【選択図】図２
0003218928.tif 000002
【実用新案登録請求の範囲】
【請求項１】
流入路１１が内部に形成されているグリップ構造１０と、前記グリップ構造１０の頂部に連設されているバルブ構造２０と、前記バルブ構造２０上に連設されているノズルヘッド３０と、前記ノズルヘッド３０及び前記グリップ構造１０に連設されている開閉レバー構造４０とを備えている水撒きのためのノズル器具であって、
前記開閉レバー構造４０が切り換えにより前記グリップ構造１０内の流入路１１を開放することで、水流を順次に前記バルブ構造２０と前記ノズルヘッド３０とを経由して外向きに吐水し、
前記ノズルヘッド３０内に上下に順次に複数本の流出路３１が形成され、各流出路３１は、それぞれ前記ノズルヘッド３０の異なる吐水モードに合わせて設けられ、
前記バルブ構造２０は、横方向に延びている弁室２１と、前記弁室２１内に回転可能に収容されている弁体２２と、前記弁体２２に連設されている切り換え操作部２３とを有し、
前記弁室２１は、それぞれ前記流入路１１と、前記複数本の流出路３１とに相互に連通し、
前記弁体２２が前記弁室２１の相異なる両端を液密的に閉塞し、前記弁体２２に制御開口２２１が形成され、前記複数本の流出路３１が前記制御開口２２１の移動経路に沿って順次に配列され、
前記切り換え操作部２３により前記弁体２２を前記弁室２１の内壁に相対して回転させるように駆動することで、前記開閉レバー構造４０が前記流入路１１を開放すると、前記流入路１１から送流された水を前記ノズルヘッド３０内の相対応の流出路３１に導くことを特徴とする、水撒きのためのノズル器具。
【請求項２】
前記弁体２２は、弧状板２２２を含み、前記制御開口２２１が前記弧状板２２２上に形成され、前記弧状板２２２の前記弁室２１の内壁に相対する一面に前記制御開口２２１を囲むようにシール溝２２３が形成され、かつ前記シール溝２２３内に防水パッキン２４が取り付けられ、前記防水パッキン２４は、前記弁室２１の内壁に水密に密着していることを特徴とする、請求項１に記載の水撒きのためのノズル器具。
【請求項３】
前記弧状板２２２の両端にそれぞれ円盤２２４が設けられ、各円盤２２４の外壁に多辺形の回転止め用の軸端２２５が設けられ、前記切り換え操作部２３は、コ字形構造体であり、かつその両側にそれぞれ多辺形の回転止め用の孔２３１が形成され、各多辺形の回転止め用の孔２３１に相対応の多辺形の回転止め用の軸端２２５が嵌め込まれていることを特徴とする、請求項２に記載の水撒きのためのノズル器具。
【請求項４】
前記ノズルヘッド３０内にさらに流路ユニット３５が内蔵され、前記複数本の流出路３１が前記流路ユニット３５内に形成されていることを特徴とする、請求項１〜３のいずれか１項に記載の水撒きのためのノズル器具。
【請求項５】
前記バルブ構造２０の一方の側部に係入突起２５が取り付けられ、前記係入突起２５を前記バルブ構造２０に相対して往復式軸方向移動を行わせ、前記切り換え操作部２３の前記係入突起２５に対応する内側面に複数の係入孔２３２が形成されて、前記複数の係入孔２３２の数量は、前記流出路３１の数量に対応され、前記制御開口２２１と相対応の流出路３１とが相互に連通すると、前記係入突起２５の自由端が相対応の係入孔２３２内に係止されることにより、前記バルブ構造２０に一時的に相対して前記弁体２２を位置決めすることを特徴とする、請求項４に記載の水撒きのためのノズル器具。
【請求項６】
流入路１１が内部に形成されているグリップ構造１０と、前記グリップ構造１０の頂部に連設されているバルブ構造２０と、前記バルブ構造２０上に連設されているノズルヘッド３０とを備えている水撒きのためのノズル器具であって、
前記ノズルヘッド３０内に上下に順次に複数本の流出路３１が形成され、各流出路３１は、それぞれ前記ノズルヘッド３０の異なる吐水モードに合わせて設けられ、
前記バルブ構造２０は、横方向に延びている弁室２１と、前記弁室２１内に回転可能に収容されている弁体２２と、前記弁体２２に連設されている切り換え操作部２３とを有し、
前記弁室２１は、それぞれ前記流入路１１と、前記複数本の流出路３１とに相互に連通し、
前記弁体２２が前記弁室２１の相異なる両端を液密的に閉塞し、前記弁体２２に制御開口２２１が形成され、前記複数本の流出路３１が前記制御開口２２１の移動経路に沿って順次に配列され、前記弁体２２が切り換えにより前記流入路１１を閉塞し、かつ前記弁体２２が前記流入路１１を開放するために、前記制御開口２２１は、相対応の流出路３１に相互に連通し、
前記切り換え操作部２３により前記弁体２２を前記弁室２１の内壁に相対して回転させるように駆動することで、前記弁体２２が前記流入路１１を開放し、前記流入路１１から送流された水を前記ノズルヘッド３０内の相対応の流出路３１に導くことを特徴とする、水撒きのためのノズル器具。
【請求項７】
前記弁体２２は、弧状板２２２を含み、前記制御開口２２１が前記弧状板２２２上に形成され、前記弧状板２２２の前記弁室２１の内壁に相対する一面に前記制御開口２２１を囲むようにシール溝２２３が形成され、かつ前記シール溝２２３内に防水パッキン２４が取り付けられ、前記防水パッキン２４は、前記弁室２１の内壁に水密に密着していることを特徴とする、請求項６に記載の水撒きのためのノズル器具。
【請求項８】
前記弧状板２２２の両端にそれぞれ円盤２２４が設けられ、各円盤２２４の外壁に多辺形の回転止め用の軸端２２５が設けられ、前記切り換え操作部２３は、コ字形構造体であり、かつその両側にそれぞれ多辺形の回転止め用の孔２３１が形成され、各多辺形の回転止め用の孔２３１に相対応の多辺形の回転止め用の軸端２２５が嵌め込まれていることを特徴とする、請求項７に記載の水撒きのためのノズル器具。
【請求項９】
前記ノズルヘッド３０内にさらに流路ユニット３５が内蔵され、前記複数本の流出路３１が前記流路ユニット３５内に形成されていることを特徴とする、請求項６〜８のいずれか１項に記載の水撒きのためのノズル器具。
【請求項１０】
前記バルブ構造２０の一方の側部に係入突起２５が取り付けられ、前記係入突起２５を前記バルブ構造２０に相対して往復式軸方向移動を行わせ、前記切り換え操作部２３の前記係入突起２５に対応する内側面に複数の係入孔２３２が形成され、前記制御開口２２１と相対応の流出路３１とが相互に連通すると、前記係入突起２５の自由端が相対応の係入孔２３２内に係止されることにより、前記バルブ構造２０に一時的に相対して前記弁体２２を位置決めすることを特徴とする、請求項９に記載の水撒きのためのノズル器具。
【考案の詳細な説明】
【技術分野】
【０００１】
本考案は、水撒きのためのノズル器具に係り、特に、片手操作で吐水モードが変更できる斬新な構造形態の開示に関するものである。
【背景技術】
【０００２】
従来、水撒きのためのノズル器具は、園芸や洗浄などに使用できる非常に便利なノズル器具である。現在、市場においては、各種各様の水撒きのためのノズル器具で満ちあふれており、ひいてはそのノズルヘッド上に多段のノズル口が設けられたいくつかのものがあり、異なる吐水モードを提供することができる。水撒きのためのノズル器具を種々の異なる環境に適用することにより、水撒きのためのノズル器具の付加価値を高め、さらに消費者の購買意欲を掻き立てることが可能になる。
【考案の概要】
【考案が解決しようとする課題】
【０００３】
しかしながら、従来の水撒きのためのノズル器具は、多段吐水モードの機能を持つものの、それは操作上、依然として完璧とは言えないところが存在する。従来の水撒きのためのノズル器具で吐水モードを変更するとき、必ずノズル器具の本体を一方の手で把持してノズルヘッドを他の手で把持してから、ノズルヘッドをノズル器具の本体に相対して回転させる必要がある。そのため、片手で操作することができないので、切り替え過程において、水をランダム方向に吐水するのを避けるために、通常、吐水モードを変更する前に、まず、水撒き作業を一時停止する場合がある。
【０００４】
本考案は、水撒きのためのノズル器具を提供することを主な目的とし、その解決しようとする技術的課題は、より理想的で実用性のある片手操作で吐水モードが変更できるオリジナルな構造形態を如何にして研究開発するかを目標として革新突破を思案することである。
【課題を解決するための手段】
【０００５】
本考案の課題を解決するための技術的特長としては、主としてかかる水撒きのためのノズル器具は、流入路が内部に形成されているグリップ構造と、前記グリップ構造の頂部に連設されているバルブ構造と、前記バルブ構造上に連設されているノズルヘッドとを備えている。前記ノズルヘッド内に上下に順次に複数本の流出路が形成され、そのうち、各流出路は、それぞれ前記ノズルヘッドの異なる吐水モードに合わせて設けられ、前記バルブ構造は、横方向に延びている弁室と、前記弁室内に回転可能に収容されている弁体と、前記弁体に連設される切り換え操作部とを有し、前記弁室は、それぞれ前記流入路と、前記複数本の流出路とに相互に連通し、前記弁体が前記弁室の相異なる両端を液密的に閉塞し、前記弁体に制御開口が形成され、前記複数本の流出路が前記制御開口の移動経路に沿って順次に配列され、前記弁体が切り換えにより前記流入路を閉塞し、かつ前記弁体が前記流入路を開放するために、前記制御開口は、相対応の流出路に相互に連通し、前記切り換え操作部により前記弁体を前記弁室の内壁に相対して回転させるように駆動することで、前記弁体が前記流入路を開放し、前記流入路から送流された水を前記ノズルヘッド内の相対応の流出路に導くものである。
【考案の効果】
【０００６】
この斬新な独特の構成によれば、本考案は、従来の技術と比較すると、吐水モードを変更可能とする構成で、水撒きのためのノズル器具を把持する手の親指を直接使用して直接的に操作することにより、吐水動作を一時停止する必要がなく、直接片手で手軽に操作でき、実用的利点と好適な産業経済（利用）利益を得ることができる。
【図面の簡単な説明】
【０００７】
【図１】本考案の外観斜視図である。
【図２】本考案の一部分解斜視図である。
【図３】本考案のノズルヘッドの一部外観斜視図である。
【図４】本考案の弁体の分解斜視図である。
【図５】本考案のノズルヘッドを別の視角から見た一部外観斜視図である。
【図６】本考案の側面図である。
【図７】本考案の一部断面図である。
【図８】本考案の第１動作を説明する図である。
【図９】本考案の第２動作を説明する図である。
【図１０】本考案の第３動作を説明する図である。
【図１１】本考案の第２の好適な実施形態の一部分解斜視図である。
【図１２】本考案の第２の好適な実施形態の一部断面図である。
【図１３】本考案の第２の好適な実施形態の第１動作を説明する図である。
【図１４】本考案の第２の好適な実施形態の第２動作を説明する図である。
【図１５】本考案の第２の好適な実施形態の第３動作を説明する図である。
【図１６】本考案の第３の好適な実施形態の分解断面図である。
【考案を実施するための形態】
【０００８】
図１〜図７に示すのは、本考案の水撒きのためのノズル器具の好適な実施形態であるが、これらの実施形態は説明のみに用いられるもので、実用新案登録請求の際、それらの構造に制限されないものとする。
【０００９】
かかる水撒きのためのノズル器具は、流入路１１が内部に形成されているグリップ構造１０と、前記グリップ構造１０の頂部に連設されているバルブ構造２０と、前記バルブ構造２０上に連設されているノズルヘッド３０と、前記ノズルヘッド３０及び前記グリップ構造１０に連設されている開閉レバー構造４０とを備え、前記開閉レバー構造４０が切り換えにより前記グリップ構造１０内の流入路１１を開放することで、水流を順次に前記バルブ構造２０と前記ノズルヘッド３０とを経由して外向きに吐水することができる。前記ノズルヘッド３０内に上下に順次に複数本の流出路３１が形成され、そのうち、各流出路３１は、それぞれ前記ノズルヘッド３０の異なる吐水モードに合わせて設けられている。前記バルブ構造２０は、横方向に延びている弁室２１と、前記弁室２１内に回転可能に収容されている弁体２２と、前記弁体２２に連設されている切り換え操作部２３とを有し、前記弁室２１は、それぞれ前記流入路１１と、前記複数本の流出路３１とに相互に連通し、前記弁体２２が前記弁室２１の相異なる両端を液密的に閉塞し、前記弁体２２に制御開口２２１が形成され、前記複数本の流出路３１が前記制御開口２２１の移動経路に沿って順次に配列され、前記切り換え操作部２３により前記弁体２２を前記弁室２１の内壁に相対して回転させるように駆動することで、前記開閉レバー構造４０が前記流入路１１を開放すると、前記流入路１１から送流された水を前記ノズルヘッド３０内の相対応の流出路３１に導く。
【００１０】
前記弁体２２は、弧状板２２２を含み、前記制御開口２２１が前記弧状板２２２上に形成され、前記弧状板２２２の前記弁室２１の内壁に相対する一面に前記制御開口２２１を囲むようにシール溝２２３が形成され、かつ前記シール溝２２３内に防水パッキン２４が取り付けられ、前記防水パッキン２４は、前記弁室２１の内壁に水密に密着している。前記弧状板２２２の両端にそれぞれ円盤２２４が設けられ、各円盤２２４の外壁に多辺形の回転止め用の軸端２２５が設けられ、前記切り換え操作部２３は、コ字形（又はチャンネル形状）構造体であり、かつその両側にそれぞれ多辺形の回転止め用の孔２３１が形成され、そのうち、各多辺形の回転止め用の孔２３１に相対応の多辺形の回転止め用の軸端２２５が嵌め込まれる。
【００１１】
前記バルブ構造２０の一方の側部に係入突起２５（例えば係入ピン）が取り付けられ、前記係入突起２５を前記バルブ構造２０に相対して往復式軸方向移動を行わせる。前記弁体２２の前記係入突起２５に相対する一方の側部に蓋板２６が取り付けられている。また、前記切り換え操作部２３の前記係入突起２５に対応する内側面に複数の係入孔２３２が形成されて、前記複数の係入孔２３２の数量は、前記流出路３１の数量に対応されている。前記制御開口２２１と相対応の流出路３１とが相互に連通すると、前記係入突起２５の自由端が相対応の係入孔２３２内に係止されることにより、前記バルブ構造２０に一時的に相対して前記弁体２２を位置決めする。
【００１２】
上記の組立構造により、本考案の使用作動状況について以下のように説明する。この好適な実施形態において、前記流出路３１の数量は、３本とされ、かつ本考案の作動状況を便宜上説明すると、前記複数本の流出路３１は、上から下に順次にさらに第１流出路３１Ａ、第２流出路３１Ｂ及び第３流出路３１Ｃ（即ち、複数の並列の水流ポート）から構成される。本考案の好適な実施形態において、前記流入路１１の開閉は前記開閉レバー構造４０によって制御できるので、前記弁体２２は、３個の作動シフト位置を有する（第１シフト位置、第２シフト位置及び第３シフト位置を含む）。
【００１３】
前記弁体２２が第１シフト位置にあるとき、図７、図８のように、前記第１流出路３１Ａと第２流出路３１Ｂは、前記防水パッキン２４によって閉塞され、前記流入路１１は、前記弁室２１に相互に連通する。前記制御開口２２１の下流側・上流側は、それぞれ前記第３流出路３１Ｃと、弁室２１とに連通するため、使用者が手で前記開閉レバー構造４０を押圧して流入路１１を開放した後、前記流入路１１、弁室２１、前記制御開口２２１及び前記第３流出路３１Ｃを介して、給水された高圧水を前記ノズルヘッド３０の前端に設けられたシャワー状（ｓｈｏｗｅｒ）ノズル口３４から外向きに吐水する。
【００１４】
図９のように、使用者がノズルヘッド３０の吐水モードを変えようとするとき、前記グリップ構造１０を把持するその手の親指のみを利用して前記切り換え操作部２３を後向きに引っ張ることで、前記弁体２２を前記弁室２１の内壁に相対して同期して同方向に回転させた後、前記弁体２２がその第２シフト位置まで回転する。この時、前記第１流出路３１Ａと前記第３流出路３１Ｃは、それぞれ前記防水パッキン２４によって閉塞され、前記流入路１１は、前記弁室２１に相互に連通する。前記制御開口２２１の下流側・上流側は、それぞれ前記第２流出路３１Ｂと、前記弁室２１とに連通するため、使用者が手で前記開閉レバー構造４０を押圧して流入路１１を開放した後、前記流入路１１、弁室２１、前記制御開口２２１及び前記第２流出路３１Ｂを介して、給水された高圧水を前記ノズルヘッド３０の前端に設けられたジェット状（ｊｅｔ）ノズル口３３から外向きに吐水する。
【００１５】
図１０のように、使用者が再びノズルヘッド３０の吐水モードを変えようとするとき、前記グリップ構造１０を把持するその手の親指のみを利用して前記切り換え操作部２３をさらに後向きに引っ張ることで、前記弁体２２を前記弁室２１の内壁に相対してさらに同期して同方向に回転させた後、前記弁体２２がその第３シフト位置まで回転する。この時、前記第２流出路３１Ｂと前記第３流出路３１Ｃは、それぞれ前記防水パッキン２４によって閉塞され、前記流入路１１は、前記弁室２１に相互に連通する。前記制御開口２２１の下流側・上流側は、それぞれ前記第１流出路３１Ａと、前記弁室２１とに連通するため、使用者が手で前記開閉レバー構造４０を押圧して流入路１１を開放した後、前記流入路１１、弁室２１、前記制御開口２２１及び前記第１流出路３１Ａを介して、給水された高圧水を前記ノズルヘッド３０の前端に設けられたフラット状（ｆｌａｔ）ノズル口３２から外向きに吐水する。
【００１６】
図１１から分かるように、本考案の第２の好適な実施形態の構造と作動方式は、ほぼ前述した第１の好適な実施形態と同様であるが、ただ開閉レバー構造４０を設けていない。前記弁体２２に計４個の作動シフト位置（止水シフト位置、第１シフト位置、第２シフト位置及び第３シフト位置を含む）が設けられている。そして前記係入孔２３２も、前記弁体２２の作動シフト位置数に合わせて４個形成され、前記弁体２２が相対応の作動シフト位置にあるとき、前記係入突起２５の自由端が相対応の係入孔２３２内に係止されることにより、前記バルブ構造２０に一時的に相対して前記弁体２２を位置決めする。
【００１７】
前記弁体２２がその止水シフト位置にある図１２の断面図を参照する。この状態のとき、前記流入路１１は、直接的に前記防水パッキン２４によって閉塞されるので、如何なる水も前記ノズルヘッド３０内に進入することなく、本考案に止水状態を呈させる。次に、前記弁体２２がその第１シフト位置にある図１３の断面図を参照する。この状態のとき、前記第１流出路３１Ａと第２流出路３１Ｂは、前記防水パッキン２４によって閉塞され、前記流入路１１は、前記弁室２１に相互に連通する。前記制御開口２２１の下流側・上流側は、それぞれ前記第３流出路３１Ｃと、弁室２１とに連通するため、前記流入路１１、弁室２１、前記制御開口２２１及び前記第３流出路３１Ｃを介して、給水された高圧水を前記ノズルヘッド３０の前端に設けられたシャワー状（ｓｈｏｗｅｒ）ノズル口３４から外向きに吐水する。
【００１８】
図１４のように、使用者が再びノズルヘッド３０の吐水モードを変えようとするとき、前記グリップ構造１０を把持するその手の親指のみを利用して前記切り換え操作部２３を後向きに引っ張ることで、前記弁体２２を前記弁室２１の内壁に相対して同期して同方向に回転させた後、前記弁体２２がその第２シフト位置まで回転する。この時、前記第１流出路３１Ａと前記第３流出路３１Ｃは、それぞれ前記防水パッキン２４によって閉塞され、前記流入路１１は、前記弁室２１に相互に連通する。前記制御開口２２１の下流側・上流側は、それぞれ前記第２流出路３１Ｂと、前記弁室２１とに連通するため、前記流入路１１、弁室２１、前記制御開口２２１及び前記第２流出路３１Ｂを介して、給水された高圧水を前記ノズルヘッド３０の前端に設けられたジェット状（ｊｅｔ）ノズル口３３から外向きに吐水する。
【００１９】
図１５のように、使用者が再びノズルヘッド３０の吐水モードを変えようとするとき、前記グリップ構造１０を把持するその手の親指のみを利用して前記切り換え操作部２３をさらに後向きに引っ張ることで、前記弁体２２を前記弁室２１の内壁に相対してさらに同期して同方向に回転させた後、前記弁体２２がその第３シフト位置まで回転する。この時、前記第２流出路３１Ｂと前記第３流出路３１Ｃは、それぞれ前記防水パッキン２４によって閉塞され、前記流入路１１は、前記弁室２１に相互に連通する。前記制御開口２２１の下流側・上流側は、それぞれ前記第１流出路３１Ａと、前記弁室２１とに連通するため、前記流入路１１、弁室２１、前記制御開口２２１及び前記第１流出路３１Ａを介して、給水された高圧水を前記ノズルヘッド３０の前端に設けられたフラット状（ｆｌａｔ）ノズル口３２から外向きに吐水する。
【００２０】
以上、要するに、本考案の第２の好適な実施形態は、同様に片手操作が達成され、かつ前述した第１の好適な実施形態のように開閉レバー構造４０を介して前記流入路１１を一時遮断する必要がなくなり、弁体２２のみによって止水を直接的に制御することができ、便利かつ迅速に吐水モードが変更でき、実用的利点を提供する。
【００２１】
図１６のような本考案の第３の好適な実施形態から分かるように、この好適な実施形態と前述した２つの好適な実施形態との最大の相違点としては、ノズルヘッド３０の変形にあり、この変形を前述した第１、第２の好適な実施形態中に同時に適用させてもよい。この好適な実施形態において、前記ノズルヘッド３０内にさらに流路ユニット３５が内蔵され、そして前述した第１、第２の好適な実施形態中に備えられた複数本の流出路３１が前記流路ユニット３５内に形成される。
【００２２】
実施態様について、本考案は、下記の構成を備えていてもよい。
弁室（２１）はほぼ円筒形状の内周面を有し、
弁体（２２）は、
弧状に湾曲した外周面を有し、制御開口を備え、外周面は弁室の内周面と対面する弧状板（２２２）と、
弧状板の両端に取り付けられ、弁室の内周面に回転可能に保持されている第１及び第２円盤（２２４）とを備えていることを特徴とするノズル器具。
さらに、
流入路（１１）を開閉する開閉弁と、
手動操作に応じて開閉弁を変位させる開閉操作構造（２３，４０）とを備えていることを特徴とするノズル器具。
【００２３】
（効果の説明）
本考案に開示された「水撒きのためのノズル器具」は、主にかかるバルブ構造とノズルヘッドの斬新な独特の構造形態と技術的特徴により、「背景技術」に言及した従来の構造に比較すると、吐水モードを変更可能とする構成で、水撒きのためのノズル器具を把持する手の親指を直接使用して操作することにより、吐水動作を一時停止する必要がなく、直接片手で手軽に操作でき、実用的利点を達成することができるものである。
【符号の説明】
【００２４】
１０：グリップ構造
１１：流入路
２０：バルブ構造
２１：弁室
２２：弁体
２２１：制御開口
２２２：弧状板
２２３：シール溝
２２４：円盤
２２５：多辺形の回転止め用の軸端
２３：切り換え操作部
２３１：多辺形の回転止め用の孔
２３２：係入孔
２４：防水パッキン
２５：係入突起
２６：蓋板
３０：ノズルヘッド
３１：流出路
３１Ａ：第１流出路
３１Ｂ：第２流出路
３１Ｃ：第３流出路
３２：フラット状ノズル口
３３：ジェット状ノズル口
３４：シャワー状ノズル口
３５：流路ユニット
４０：開閉レバー構造
【図１】
0003218928.tif 000003
【図２】
0003218928.tif 000004
【図３】
0003218928.tif 000005
【図４】
0003218928.tif 000006
【図５】
0003218928.tif 000007
【図６】
0003218928.tif 000008
【図７】
0003218928.tif 000009
【図８】
0003218928.tif 000010
【図９】
0003218928.tif 000011
【図１０】
0003218928.tif 000012
【図１１】
0003218928.tif 000013
【図１２】
0003218928.tif 000014
【図１３】
0003218928.tif 000015
【図１４】
0003218928.tif 000016
【図１５】
0003218928.tif 000017
【図１６】
0003218928.tif 000018